(57)【特許請求の範囲】
【請求項１】
洗浄槽内に洗浄ノズルを回転自在に配設し、前記洗浄ノズルの回転中心部に洗浄ノズル内に洗浄水を案内する軸部を設けるとともに、この軸部を回転自在に軸支するように外包した軸支部を設け、前記軸部の外周面には、軸支部の内周面に先端が近接する凹凸状の回転案内部を軸方向に少なくとも２つ設け、前記回転案内部は複数のリブ形状である食器洗い機。
【発明の詳細な説明】
【０００１】
【発明の属する技術分野】
本発明は食器の洗浄を行う食器洗い機に関するものである。
【０００２】
【従来の技術】
従来、この種の食器洗い機は図３に示すように構成していた。以下、その構成について説明する。
【０００３】
図３に示すように、食器洗い機本体１は、内部に洗浄槽２を設けており、この洗浄槽２内へ給水弁３により水または湯を供給するようにしている。駆動時において洗浄水は、排水孔４の他側部に連通したポンプ室に取り付けられ、モータ５によって駆動される洗浄ポンプ６により、洗浄槽２の内部を循環する。すなわち、この循環は、洗浄水が排水孔４から洗浄ポンプ６に吸いこまれ、洗浄ポンプ６より洗浄槽２の内底部に回転自在に設けた洗浄ノズル７に供給され、この洗浄ノズル７から噴射され、食器を洗浄した後、再び排水孔４に戻るという経路で行われる。
【０００４】
洗浄ノズル７と洗浄槽２の底部との間には、洗浄水加熱用のヒータ８を装備している。また、洗浄ノズル７の上方には、食器９を整然と配置でき、洗浄水を効果的に食器９に噴射するように構成した食器かご１０を設置している。
【０００５】
また、洗浄槽２の前面部には、開閉自在な扉１１を取り付けている。食器かご１０には複数の移動用ローラを配設し、開放した扉１１の上部を食器洗い機本体１の前面外部へ引き出し可能になっている。排水ポンプ１２は、排水ホース１３を通して洗浄水を機外に排出するものである。
【０００６】
ここで、洗浄ノズル７の構成を説明すると、図４に示すように、洗浄ノズル７は、その回転中心部に洗浄ノズル７内に洗浄水を案内する軸部１４を設け、洗浄槽２の底部に洗浄ノズル７の軸部１４に対して外包するように軸支する軸支部１５を配置し、この軸支部１５に洗浄ノズル７の軸部１４を挿入して洗浄ノズル７を回転自在に支持している。また、洗浄ノズル７の軸部１４の近傍に爪部１６を設け、洗浄ノズル７が軸支部１５から簡単には外れないように構成している。
【０００７】
洗浄ノズル７は、洗浄ポンプ６から洗浄水を供給されて、その洗浄水を噴射し、食器９を洗浄する。また、洗浄水を噴射してその噴射反力により、洗浄ノズル７は軸支部１５を中心に回転する。また、噴射反力は、上下方向に対しても洗浄ノズル７のバランスを保つのに利用されている。
【０００８】
また、洗浄ノズル７の軸部１４の下面は、軸支部１５の当接面との間で摺動し、この摺動面により洗浄ノズル７の軸部１４と軸支部１５との間から洗浄水が洗浄槽２へと逃げていくのを防ぎ、洗浄ポンプ６から供給される洗浄水の大部分を洗浄ノズル７の中へ送り込み、洗浄ノズル７の噴射圧力を低下させることなく、有効に食器９の洗浄に活かすことができる。
【０００９】
洗浄ノズル７の軸部１４と軸支部１５の関係においては、洗浄ノズル７が安定して回転するために、洗浄ノズル７の軸部１４の外周の上下２ヵ所に、軸支部１５内面の円筒部に対して係合して隙間を小さくした回転案内部（リング状の部分）１４ａを設けている。この関係により洗浄ノズル７は、傾いた場合でも洗浄ノズル７の傾きを小さくして洗浄槽２や食器かご１０に当接するのを防止し、洗浄ノズル７の回転時に回転するのを妨げられるのを防止している。
【００１０】
また、上下２ヵ所の回転案内部１４ａに対して、その中間部の隙間を大きくしてあるのは、この洗浄ノズル７の軸部１４と軸支部１５の間に食品くず等が侵入したときに、小さい隙間を長い距離のままにするとこの間に詰まり、洗浄ノズル７の回転を妨げるので、小さい隙間を回転案内部１４ａの短い距離だけにしておき、洗浄ノズル７の回転を妨げるのを防止するためである。
【００１１】
【発明が解決しようとする課題】
しかしながら、このような従来の構成では、一旦、洗浄ノズル７のバランスが崩れ、傾いたときには、洗浄ノズル７の軸部１４と軸支部１５の間に洗浄水が侵入する。このとき、洗浄ノズル７の軸部１４の回転案内部１４ａの下方に洗浄ポンプ６の圧力がかかることになる。したがって、この時点で洗浄ノズル７に対して上向きの力が増加し、前述した洗浄ノズル７の上下方向の力のバランスが崩れ、洗浄ノズル７が浮き上がった状態で回転する。
【００１２】
この場合、洗浄ノズル７の軸部１４の下面と軸支部１５の当接面との間に隙間ができ、洗浄ノズル７の軸部１４と軸支部１５との間から洗浄槽２に向かって、常に洗浄水が逃げていく状態になり、洗浄ノズル７の噴射圧力が低下し、通常の食器９の洗浄ができなくなるという問題を有していた。
【００１３】
これに対して、洗浄ノズル７の重量を重くするといった対応もあるが、ここで発生する上向きの力は、洗浄ノズル７の重量に対してかなり大きく、かなりの重りを必要とするので、重りとそれの取り付けに対してコストがかかり、コスト的に不利になる。
【００１４】
本発明は上記従来の課題を解決するもので、安価に、洗浄ノズルの回転を安定した状態に保ち、常に食器の洗浄力を確保することを目的としている。
【００１５】
【課題を解決するための手段】
本発明は上記目的を達成するために、洗浄槽内に洗浄ノズルを回転自在に配設し、この洗浄ノズルの回転中心部に洗浄ノズル内に洗浄水を案内する軸部を設けるとともに、この軸部を回転自在に軸支するように外包した軸支部を設け、軸部の外周面には、軸支部の内周面に先端が近接する凹凸状の回転案内部を軸方向に少なくとも２つ設け、前記回転案内部は複数のリブ形状であるものである。
【００１６】
これにより、安価に、洗浄ノズルの回転を安定した状態に保つことができ、常に食器の洗浄力を確保することができる。
【００１７】
【発明の実施の形態】
本発明の請求項１に記載の発明は、洗浄槽内に洗浄ノズルを回転自在に配設し、前記洗浄ノズルの回転中心部に洗浄ノズル内に洗浄水を案内する軸部を設けるとともに、この軸部を回転自在に軸支するように外包した軸支部を設け、前記軸部の外周面には、軸支部の内周面に先端が近接する凹凸状の回転案内部を軸方向に少なくとも２つ設け、前記回転案内部は複数のリブ形状であるものであり、安価に、洗浄ノズルの回転を安定した状態に保つことができ、常に食器の洗浄力を確保することができる。
【００１８】
【実施例】
以下、本発明の一実施例について、図面を参照しながら説明する。なお、従来例と同じ構成のものは同一符号を付して説明を省略する。
【００１９】
図２に示すように、洗浄ノズル１７は、洗浄槽２の内底部に回転自在に設け、洗浄ポンプ６より供給された洗浄水を噴射し、食器９を洗浄する。この洗浄ノズル１７は、図１に示すように、その回転中心部に洗浄ノズル１７内に洗浄水を案内する軸部１８を設け、洗浄槽２の底部に洗浄ノズル１７の軸部１８を外包するように軸支する軸支部１９を設け、この軸支部１９に洗浄ノズル１７の軸部１８を挿入して洗浄ノズル１７を回転自在に支持している。また、洗浄ノズル１７の軸部１８の近傍に爪部２０を設け、洗浄ノズル１７が軸支部１９から簡単には外れないように構成している。
【００２０】
洗浄ノズル１７の軸部１８の外周面に、軸方向の２ヵ所に回転案内部２１を設けている。この回転案内部２１は、複数の凹凸状のリブ形状としている。そして、この回転案内部２１のリブ形状の凸部２１ａの先端は軸支部１９の内周面に近接し、凸部２１ａの先端と軸支部１９の内周面との間隔を小さくしている。また、凸部２１ａの根元部は、回転案内部２１がない部分１８ａと同様に、軸支部１９の内周面との間隔を大きくしている。
【００２１】
上記構成において動作を説明すると、洗浄ノズル１７が傾き、洗浄ノズル１７の軸部１８と軸支部１９の摺動面から洗浄水が浸入した場合においても、この浸入した洗浄水は、回転案内部２１を形成する凸部２１ａの根元部と回転案内部２１がない部分１８ａとを通過し、洗浄槽２へと排出されるので、この洗浄ノズル１７の軸部１８と軸支部１９の間の圧力の上昇はほとんどない。したがって、従来例とは異なり、従来の回転案内部１４ａの下側に対してかかっていた圧力による上向きの荷重は発生しない。
【００２２】
このため、洗浄ノズル１７は一旦傾いても本来の上下方向のバランスが保たれるので、すぐに洗浄ノズル１７の軸部１８と軸支部１９の摺動面は当接し、ここからの洗浄槽２への洗浄水の流れは抑えられる。したがって、洗浄ポンプ６から供給される洗浄水の大部分
を洗浄ノズル１７の中へ送り込み、洗浄ノズル１７の噴射圧力を低下させることなく、有効に食器９の洗浄に活かすことができる。
【００２３】
また、洗浄ノズル１７の軸部１８と軸支部１９の摺動面から食品くず等が侵入した場合においても、回転案内部２１の根元部と回転案内部２１がない部分１８ａとを通過し、洗浄槽２へと排出されるので、洗浄ノズル１７の軸部１８と軸支部１９の間にはさまり、洗浄ノズル１７の回転が妨げられることはない。
【００２４】
このように、安価に、洗浄ノズル１７の回転を安定した状態に保つことができ、常に食器９の洗浄力を確保することができる。
【００２５】
【発明の効果】
以上のように本発明の請求項１に記載の発明によれば、洗浄槽内に洗浄ノズルを回転自在に配設し、前記洗浄ノズルの回転中心部に洗浄ノズル内に洗浄水を案内する軸部を設けるとともに、この軸部を回転自在に軸支するように外包した軸支部を設け、前記軸部の外周面には、軸支部の内周面に先端が近接する凹凸状の回転案内部を軸方向に少なくとも２つ設け、前記回転案内部は複数のリブ形状であるから、安価に、洗浄ノズルの回転を安定した状態に保つことができ、常に食器の洗浄力を確保することができる。
【図面の簡単な説明】
【図１】  本発明の一実施例の食器洗い機の一部切欠した要部分解斜視図
【図２】  同食器洗い機の縦断面図
【図３】  従来の食器洗い機の縦断面図
【図４】  同食器洗い機の要部拡大断面図
【符号の説明】
２    洗浄槽
１７    洗浄ノズル
１８  軸部
１９  軸支部
２１  回転案内部
【図１】
0004144114.tif 000002
【図２】
0004144114.tif 000003
【図３】
0004144114.tif 000004
【図４】
0004144114.tif 000005